(57)【要約】【課題】電源ケーブルの抜き差しに伴う煩わしさや電源ケーブルの存在に伴う煩わしさ及び不具合を解消することができるとともに、プロジェクタを長時間連続して使用することができ、もって便利なプロジェクションシステムを提供する。【解決手段】送電コイル２０及び送電コイル２０に交流電力を供給する送電回路４０を有し、非接触で電力を伝送可能に構成された送電装置１０と、送電コイル２０に磁気結合する受電コイル１５２及び受電コイル１５２に電磁誘導された交流電力を整流する整流回路１５４を有する受電部１５０を有し、送電装置１０から伝送された電力を用いて画像光を投写するプロジェクタ１００とを備えるプロジェクションシステム１。【選択図】図２
2009205050.tif 000002
【特許請求の範囲】
【請求項１】
送電コイル及び前記送電コイルに交流電力を供給する送電回路を有し、非接触で電力を伝送可能に構成された送電装置と、
前記送電コイルに磁気結合する受電コイル及び前記受電コイルに電磁誘導された交流電力を整流する整流回路を有する受電部を有し、前記送電装置から伝送された電力を用いて画像光を投写するプロジェクタとを備えることを特徴とするプロジェクションシステム。
【請求項２】
請求項１に記載のプロジェクションシステムにおいて、
前記送電装置は、シート状であって、かつ、複数の送電コイルを有するワイヤレス電力伝送シートであることを特徴とするプロジェクションシステム。
【請求項３】
請求項２に記載のプロジェクションシステムにおいて、
前記ワイヤレス電力伝送シートは、
前記プロジェクタの位置を検出する位置検出手段と、
前記複数の送電コイルのうち前記位置検出手段によって検出された前記プロジェクタの位置に対応する送電コイルに対して選択的に電力を供給する選択手段とをさらに有することを特徴とするプロジェクションシステム。
【請求項４】
請求項１〜３のいずれかに記載のプロジェクションシステムにおいて、
前記受電コイルは、前記プロジェクタの側面、天面及び底面のうち少なくとも１面に配置されていることを特徴とするプロジェクションシステム。
【請求項５】
請求項１〜３のいずれかに記載のプロジェクションシステムにおいて、
前記プロジェクタは、据え置き型のプロジェクタであって、前記プロジェクタの底面側に配設された複数の脚部をさらに有し、
前記受電コイルは、前記複数の脚部における底面に配置されていることを特徴とするプロジェクションシステム。
【請求項６】
請求項１〜５のいずれかに記載のプロジェクションシステムにおいて、
前記送電装置は、前記送電コイルの誘起電圧に基づいて、前記送電コイルと前記受電コイルとの間の異物の存在を検出する異物検出手段をさらに有し、
前記送電装置は、前記異物検出手段によって異物の存在が検出されたときには、前記送電回路からの電力の供給を停止するように構成されていることを特徴とするプロジェクションシステム。
【請求項７】
請求項１〜６のいずれかに記載のプロジェクションシステムにおいて、
前記プロジェクタは、自身を前記送電装置に個別認識させるための識別情報を備えており、
前記送電装置は、
送電対象として認証したプロジェクタの識別情報を記憶する識別情報記憶部と、
前記プロジェクタが備える前記識別情報を読み取る識別情報読取部と、
前記識別情報読取部によって読み取られた前記識別情報が、前記識別情報記憶部が記憶する前記識別情報と一致するか否かを判定する識別情報判定部とをさらに有し、
前記送電装置は、前記識別情報読取部によって読み取られた前記識別情報と前記識別情報記憶部が記憶する前記識別情報とが一致しないことを前記識別情報判定部が判定したときには、前記送電回路からの電力の供給を停止するように構成されていることを特徴とするプロジェクションシステム。
【請求項８】
請求項１〜７のいずれかに記載のプロジェクションシステムにおいて、
前記プロジェクタは、
画像情報を受ける無線入力インタフェースと、
照明光束を射出する照明装置と、
前記照明装置からの前記照明光束を前記無線入力インタフェースで受けた前記画像情報に応じて変調して前記画像光を生成する電気光学変調装置と、
前記電気光学変調装置により生成された前記画像光を投写する投写光学系とをさらに有することを特徴とするプロジェクションシステム。
【請求項９】
送電コイル及び前記送電コイルに交流電力を供給する送電回路を有し、非接触で電力を伝送可能に構成された送電装置と、前記送電装置から伝送された電力を用いて画像光を投写するプロジェクタとを少なくとも備えるプロジェクションシステムに用いるプロジェクタであって、
前記プロジェクタは、
前記送電コイルに磁気結合する受電コイル及び前記受電コイルに電磁誘導された交流電力を整流する整流回路を有する受電部を備えることを特徴とするプロジェクタ。
【発明の詳細な説明】
【技術分野】
【０００１】
本発明は、プロジェクションシステム及びプロジェクタに関する。
【背景技術】
【０００２】
従来、オフィスでの会議や家庭内での映画の視聴などの様々な場面において、プロジェクタが利用されている。このようなプロジェクタには、通常、プロジェクタに電力を供給するための電源ケーブルが設けられており、電源ケーブルのプラグを壁面等に設けられたコンセントに差し込むことにより、プロジェクタに電力を供給するように構成されている（このような構成からなるプロジェクションシステムとしては、例えば、特許文献１参照。）。
【０００３】
【特許文献１】特開２００５−２３５５７０号公報
【発明の開示】
【発明が解決しようとする課題】
【０００４】
しかしながら、従来のプロジェクションシステムにおいては、プロジェクタの使用のたびに電源ケーブルのプラグをコンセントからいちいち抜き差ししなければならず、煩わしいという問題がある。
【０００５】
また、プロジェクタの設置場所を移動させてプロジェクタを使用したいときに、電源ケーブルの長さが短いと、別のコンセントにプラグを差し替えなければならず、この点でも煩わしいという問題がある。また、別のコンセントにプラグを差し替えるにあたっては、プロジェクタの電源を一旦切らなければならないが、プロジェクタの光源として高圧放電ランプを用いている場合、ランプの再点灯に所定の時間が必要であるため、別のコンセントにプラグを差し替えたとしても、すぐにはプロジェクタを使用することができず煩わしいという問題がある。
【０００６】
なお、ケーブル長が長い電源ケーブルを用いたり、電源延長コードを用いてプロジェクタの電源ケーブルとコンセントとを接続したりすれば、そのようなプラグの差し替えに伴う煩わしさを解消することができるが、電源ケーブルが絡まってしまったり、弛んだ電源ケーブルに足を引っ掛けてしまったりするなどといった新たな不具合が発生してしまい、好ましくない。また、プロジェクタを片付ける際に、電源ケーブルが長いと片付けるのが面倒であるという不具合もある。また、電源延長コードを用いてプロジェクタの電源ケーブルとコンセントとを接続する場合、電源延長コードが別途必要となる。
【０００７】
このような電源ケーブルの存在に起因した問題を解決するための１つの手段として、電源ケーブルを備えるプロジェクタに代えて、バッテリー駆動式のプロジェクタを用いることが考えられる（バッテリー駆動式のプロジェクタとしては、例えば、特開２００３−１４９７３３号公報参照。）。バッテリー駆動式のプロジェクタを用いれば、上述した電源ケーブルの存在に起因した問題を解決することができるが、バッテリー駆動式のプロジェクタは、長時間の連続使用には不向きである。また、バッテリー駆動式のプロジェクタはバッテリーをたびたび充電しなければならず、充電作業が煩わしいという問題もある。
【０００８】
そこで、本発明は、上記の問題を解決するためになされたもので、電源ケーブルの抜き差しに伴う煩わしさや電源ケーブルの存在に伴う煩わしさ及び不具合を解消することができるとともに、プロジェクタを長時間連続して使用することができ、もって便利なプロジェクションシステム及びプロジェクタを提供することを目的とする。
【課題を解決するための手段】
【０００９】
本発明のプロジェクションシステムは、送電コイル及び前記送電コイルに交流電力を供給する送電回路を有し、非接触で電力を伝送可能に構成された送電装置と、前記送電コイルに磁気結合する受電コイル及び前記受電コイルに電磁誘導された交流電力を整流する整流回路を有する受電部を有し、前記送電装置から伝送された電力を用いて画像光を投写するプロジェクタとを備えることを特徴とする。
【００１０】
このため、本発明のプロジェクションシステムによれば、プロジェクタの設置場所に予め上記の送電装置を設置しておけば、プロジェクタを使用したいときには、送電装置が設置された場所にプロジェクタを配置するだけで、プロジェクタに電力が伝送されることとなる。また、プロジェクタの使用を止めたいときには、送電装置が設置されていない場所にプロジェクタを移動させるだけで、プロジェクタに対する電力の伝送が停止されることとなる。つまり、本発明のプロジェクションシステムによれば、プロジェクタの使用のたびに電源ケーブルのプラグをコンセントからいちいち抜き差しする必要がない。
【００１１】
また、本発明のプロジェクションシステムによれば、予め広い場所に送電装置を設置しておけば、プロジェクタの設置場所を移動させてプロジェクタを使用したいときであっても、プロジェクタを稼動させたままの状態でプロジェクタの設置場所を移動することができる。このため、従来のようなプラグの抜き差しに伴う煩わしさをなくすことができる。
【００１２】
また、本発明のプロジェクションシステムによれば、非接触による電力伝送、つまりワイヤレスによる電力伝送であることから、電源ケーブルが絡まったり電源ケーブルに足を引っ掛けてしまったりすることや、電源ケーブルを片付ける際の面倒さ、または電源延長コードが別途必要となることなどといった、電源ケーブルの存在に起因した問題を一挙に解決することができる。
【００１３】
また、本発明のプロジェクションシステムによれば、送電装置から供給される電力によってプロジェクタを稼働させることができるため、プロジェクタを長時間連続して使用することができる。また、バッテリー駆動式のプロジェクタに見られる充電作業の煩わしさもない。
【００１４】
したがって、本発明のプロジェクションシステムは、電源ケーブルの抜き差しに伴う煩わしさや電源ケーブルの存在に伴う煩わしさ及び不具合を解消することができるとともに、プロジェクタを長時間連続して使用することができ、もって便利なプロジェクションシステムとなる。
【００１５】
本発明のプロジェクションシステムにおいては、前記送電装置は、シート状であって、かつ、複数の送電コイルを有するワイヤレス電力伝送シートであることが好ましい。
【００１６】
ワイヤレス電力伝送シートは比較的薄いことから、このワイヤレス電力伝送シートを、床や壁、天井、テーブルの上などのあらゆる場所に設置することができる。その結果、比較的広い範囲でのプロジェクタの使用を実現することが可能となる。
【００１７】
本発明のプロジェクションシステムにおいては、前記ワイヤレス電力伝送シートは、前記プロジェクタの位置を検出する位置検出手段と、前記複数の送電コイルのうち前記位置検出手段によって検出された前記プロジェクタの位置に対応する送電コイルに対して選択的に電力を供給する選択手段とをさらに有することが好ましい。
【００１８】
このように構成することにより、プロジェクタの設置された位置だけに電力を選択的に供給することが可能となる。
【００１９】
本発明のプロジェクションシステムにおいては、前記受電コイルは、前記プロジェクタの側面、天面及び底面のうち少なくとも１面に配置されていることが好ましい。
【００２０】
このように構成することにより、送電装置から確実に電力を受けることができる。
【００２１】
本発明のプロジェクションシステムにおいては、前記プロジェクタは、据え置き型のプロジェクタであって、前記プロジェクタの底面側に配設された複数の脚部をさらに有し、前記受電コイルは、前記複数の脚部における底面に配置されていることが好ましい。
【００２２】
ところで、プロジェクタをあおり投写させる場合など、プロジェクタ底面とプロジェクタの載置面（プロジェクタをテーブル上に載置している場合にはテーブル上面）との間に比較的広い空間が形成されている場合があるが、そのような場合であっても、上記のように構成することにより、送電コイルと受電コイルとの位置を近づけることができるため、送電装置からプロジェクタに対して確実に電力を供給することができる。
【００２３】
本発明のプロジェクションシステムにおいては、前記送電装置は、前記送電コイルの誘起電圧に基づいて、前記送電コイルと前記受電コイルとの間の異物の存在を検出する異物検出手段をさらに有し、前記送電装置は、前記異物検出手段によって異物の存在が検出されたときには、前記送電回路からの電力の供給を停止するように構成されていることが好ましい。
【００２４】
このように構成することにより、送電装置とプロジェクタとの間に異物が存在する場合に電力の伝送を停止することができ、安全性を高めることができる。
【００２５】
本発明のプロジェクションシステムにおいては、前記プロジェクタは、自身を前記送電装置に個別認識させるための識別情報を備えており、前記送電装置は、送電対象として認証したプロジェクタの識別情報を記憶する識別情報記憶部と、前記プロジェクタが備える前記識別情報を読み取る識別情報読取部と、前記識別情報読取部によって読み取られた前記識別情報が、前記識別情報記憶部が記憶する前記識別情報と一致するか否かを判定する識別情報判定部とをさらに有し、前記送電装置は、前記識別情報読取部によって読み取られた前記識別情報と前記識別情報記憶部が記憶する前記識別情報とが一致しないことを前記識別情報判定部が判定したときには、前記送電回路からの電力の供給を停止するように構成されていることが好ましい。
【００２６】
このように構成することにより、送電対象として認証したプロジェクタに該当する場合にのみ電力の伝送を行い、送電対象として認証したプロジェクタに該当しない場合には電力の伝送を停止することができる。
【００２７】
本発明のプロジェクションシステムにおいては、前記プロジェクタは、画像情報を受ける無線入力インタフェースと、照明光束を射出する照明装置と、前記照明装置からの前記照明光束を前記無線入力インタフェースで受けた前記画像情報に応じて変調して前記画像光を生成する電気光学変調装置と、前記電気光学変調装置により生成された前記画像光を投写する投写光学系とをさらに有することが好ましい。
【００２８】
このように構成することにより、電源ケーブルのみならず、画像情報を出力する装置とプロジェクタとを繋ぐケーブル類の接続等の煩わしさから解消された優れたプロジェクションシステムとなる。
【００２９】
本発明のプロジェクタは、送電コイルに交流電力を供給することにより電力を非接触伝送する送電装置と、前記送電装置から供給された電力を用いて画像光を投写するプロジェクタとを少なくとも備えるプロジェクションシステムに用いるプロジェクタであって、前記送電コイルに磁気結合する受電コイル及び前記受電コイルに電磁誘導された交流電力を整流する整流回路を有する受電部を備えることを特徴とする。
【００３０】
このため、本発明のプロジェクタによれば、上述した本発明のプロジェクションシステムの場合と同様の理由により、電源ケーブルの抜き差しに伴う煩わしさや電源ケーブルの存在に伴う煩わしさ及び不具合を解消することができるとともに、長時間連続して使用することができ、もって便利なプロジェクタとなる。
【発明を実施するための最良の形態】
【００３１】
以下、本発明のプロジェクションシステム及びプロジェクタについて、図に示す実施の形態に基づいて説明する。
【００３２】
［実施形態］
図１は、実施形態に係るプロジェクションシステム１を説明するために示す図である。図１（ａ）はプロジェクタ１００から壁面Ａに設けられたスクリーンＳＡに向けて画像光を投写している様子を示す図であり、図１（ｂ）はプロジェクタ１００から壁面Ｂに設けられたスクリーンＳＢに向けて画像光を投写している様子を示す図である。
図２は、実施形態に係るプロジェクションシステム１の構成を示すブロック図である。
図３は、送電装置１０の分解斜視図である。
図４は、プロジェクタ１００を底面側から見た斜視図である。
図５は、受電コイル１５２に電流が流れる原理を説明するために示す図である。
【００３３】
実施形態に係るプロジェクションシステム１は、図１に示すように、非接触で電力を伝送可能に構成された送電装置１０と、送電装置１０から伝送された電力を用いて画像光を投写するプロジェクタ１００とを備える、非接触（ワイヤレス）電力伝送式のプロジェクションシステムである。送電装置１０はテーブルＴの上面を覆うように配置されており、その上にプロジェクタ１００とパソコン２００とが置かれている。また、送電装置１０は、図示しない商用交流電源に接続されている。
【００３４】
送電装置１０は、図２に示すように、複数の送電コイル２０と、商用交流電源が供給する交流電力を直流電力に変換するＡＣ／ＤＣコンバータ回路３０と、ＡＣ／ＤＣコンバータ回路３０によって変換された直流電力を交流電力に変換し当該交流電力を複数の送電コイル２０に供給する送電回路４０と、プロジェクタ１００の位置を検出する位置検出手段５０と、送電コイル２０の誘起電圧に基づいて、送電コイル２０と受電コイル１５２との間の異物の存在を検出する異物検出手段としての金属／過負荷検出回路６０と、識別情報記憶部７０と、プロジェクタ１００が備える識別情報を読み取る識別情報読取部８０と、送電回路４０を制御する制御回路９０とを有する。
【００３５】
送電コイル２０は、例えば、絶縁された単線を同一平面内で渦巻状に巻いた平面コイルからなる。
【００３６】
ＡＣ／ＤＣコンバータ回路３０は、図示による説明は省略するが、商用交流電源が供給する交流電力の電圧を変圧するトランスと、変圧された交流電力を全波整流する全波整流回路と、全波整流された電力を平滑化するコンデンサなどを備えており、整流及び平滑化された直流電力を送電回路に供給するように構成されている。
【００３７】
送電回路４０は、図示による説明は省略するが、複数のスイッチングトランジスタで構成されたブリッジ回路からなる交流発生回路を有しており、ＡＣ／ＤＣコンバータ回路３０によって変換された直流電力を矩形波の交流電力に変換し当該交流電力を送電コイル２０に供給するように構成されている。
【００３８】
位置検出手段５０は、例えば、複数の位置検出用コイルがシート状に配置された位置検出用コイルシート５２と、薄膜トランジスタがシート状に配置された薄膜トランジスタシート５４とから構成されており（図３参照。）、薄膜トランジスタによって、位置検出用コイルでのインダクタンス変化を電圧変化として検知（スキャン）することにより、送電装置１０上に置かれたプロジェクタ１００の位置を検出するように構成されている。
なお、回路構成を変えることにより、複数の位置検出用コイルの機能を複数の送電コイル２０に持たせて、位置検出用コイルを無くすこと（位置検出用コイルと送電コイルの共通化）も可能である。
【００３９】
金属／過負荷検出回路６０は、送電コイル２０に電磁結合するものが受電コイル１５２以外の金属等の異物である場合に当該異物の存在を検出する機能と、受電部１５０の過負荷状態を検出する機能を有する。金属／過負荷検出回路６０は、異物の存在を検出したとき又は受電部１５０が過負荷状態であることを検出したときには、その旨の信号を制御回路９０に出力する。
【００４０】
識別情報記憶部７０には、送電対象として認証したプロジェクタ並びに周辺機器（例えばパソコンなど）の識別情報が予め記憶されている。識別情報読取部８０は、プロジェクタが備える識別情報を読み取り、当該情報を制御回路９０の識別情報判定部９６に出力する。
【００４１】
制御回路９０は、例えばマイクロコンピュータなどから構成され、選択手段としての複数のＭＥＭＳスイッチ９２と、識別情報読取部８０によって読み取られた識別情報が、識別情報記憶部７０が記憶する識別情報と一致するか否かを判定する識別情報判定部９６とを少なくとも有する。
【００４２】
ＭＥＭＳスイッチ（プラスチックＭＥＭＳスイッチ）９２は、静電引力によってＭＥＭＳスイッチ９２の接点のオン／オフを切り替えることにより、特定の送電コイル２０に対して選択的に電力が供給されるように構成されている。
【００４３】
制御回路９０は、金属／過負荷検出回路６０によって異物の存在が検出されたとき、受電部１５０が過負荷状態であることを検出したとき、及び識別情報読取部８０によって読み取られた識別情報と識別情報記憶部７０が記憶する識別情報とが一致しないことを識別情報判定部９６が判定したときには、送電回路４０からの電力の供給を停止する機能を有する。
【００４４】
なお、送電装置１０は、図３に示すように、シート状（例えば厚さ約１ｍｍ）のワイヤレス電力伝送シートであり、最上面に複数の送電コイル２０が配列された送電コイルシート２２が配置され、その下に複数のＭＥＭＳスイッチ９２が配列されたＭＥＭＳスイッチシート９４が配置され、さらにその下に位置検出用コイルシート５２と薄膜トランジスタシート５４とが配置されている。
【００４５】
プロジェクタ１００は、画像情報を含む情報（画像信号、音声信号、制御信号など。）を受ける無線入力インタフェース１１０と、照明光束を射出する照明装置１２０と、照明装置１２０からの照明光束を無線入力インタフェース１１０で受けた画像情報に応じて変調して画像光を生成する電気光学変調装置１３０と、電気光学変調装置１３０により生成された画像光を投写する投写光学系１４０と、送電装置１０から供給される電力を受ける受電部１５０と、自身を送電装置１０に個別認識させるための識別情報を記憶するプロジェクタ１００側の識別情報記憶部１６０とを備える。プロジェクタ１００は、いわゆる据え置き型のプロジェクタであって、プロジェクタ１００の底面側には、４つの脚部１７０が配設されている。なお、実施形態では、画像情報を含む情報をプロジェクタ１００に向けて無線で送信する機器としてパソコン２００を例示しているが、パソコンに限らず、例えば、ＨＤＤレコーダー、ＤＶＤ再生装置などのＡＶ機器であってもよい。
【００４６】
照明装置１２０は、図示による説明は省略するが、ＬＥＤ光源を備える照明装置である。
【００４７】
電気光学変調装置１３０としては、照明装置１２０からの光を画像情報に応じて液晶及び偏光板によって光変調することにより、画像を表す画像光を投写光学系１４０へと射出する機能を有する液晶装置や、照明装置１２０からの光を画像情報に応じて各画素に対応するマイクロミラーで反射することにより、画像を表す画像光を投写光学系１４０へと射出する機能を有する反射方向制御型光変調装置（例えば、ＤＭＤ（デジタルマイクロミラーデバイス）（ＴＩ社の商標））を用いることができる。
【００４８】
受電部１５０は、送電コイル２０に磁気結合する受電コイル１５２と、受電コイル１５２に電磁誘導された交流電力を整流する整流回路１５４とを有する。
【００４９】
受電コイル１５２は、送電コイル２０と同様に、例えば、絶縁された単線を同一平面内で渦巻状に巻いた平面コイルからなる。受電コイル１５２は、図４に示すように、４つの脚部１７０の底面にそれぞれ配置されている。
【００５０】
受電コイル１５２に電流が流れる原理については、図５に示すように、送電コイル２０と受電コイル１５２とが近づいた状態で送電コイル２０に電流を流すと、電磁誘導によって受電コイル１５２に電流が流れるのである。つまり、送電装置１０からプロジェクタ１００（の受電部１５０）に向けて、電磁誘導によるワイヤレスの電力伝送を行うこととしている。
【００５１】
なお、図示による説明は省略するが、パソコン２００にも、プロジェクタ１００と同様の受電部が配設されており、送電装置１０から伝送された電力によって稼動するように構成されている。なお、プロジェクタ１００及びパソコン２００に無線接続される周辺機器として、書画カメラ、スターボード、タブレット（ペンタブレット）、プリンタなどを例示することができる。
【００５２】
以上のように構成された実施形態に係るプロジェクションシステム１によれば、プロジェクタ１００の設置場所に予め上記の送電装置１０を設置しておけば、プロジェクタ１００を使用したいときには、送電装置１０が設置された場所にプロジェクタ１００を配置するだけで、プロジェクタ１００に電力が伝送されることとなる。また、プロジェクタ１００の使用を止めたいときには、送電装置１０が設置されていない場所にプロジェクタ１００を移動させるだけで、プロジェクタ１００に対する電力の伝送が停止されることとなる。つまり、実施形態に係るプロジェクションシステム１によれば、プロジェクタ１００の使用のたびに電源ケーブルのプラグをコンセントからいちいち抜き差しする必要がない。
【００５３】
また、実施形態に係るプロジェクションシステム１によれば、予め広い場所（例えばテーブルＴの上面全面）に送電装置１０を設置しておけば、プロジェクタ１００の設置場所を移動させてプロジェクタを使用したいときであっても、プロジェクタ１００を稼動させたままの状態でプロジェクタ１００の設置場所を移動することができる（図１参照。）。このため、従来のようなプラグの抜き差しに伴う煩わしさをなくすことができる。
【００５４】
また、実施形態に係るプロジェクションシステム１によれば、非接触による電力伝送、つまりワイヤレスによる電力伝送であることから、電源ケーブルが絡まったり電源ケーブルに足を引っ掛けてしまったりすることや、電源ケーブルを片付ける際の面倒さ、または電源延長コードが別途必要となることなどといった、電源ケーブルの存在に起因した問題を一挙に解決することができる。
【００５５】
また、実施形態に係るプロジェクションシステム１によれば、送電装置１０から供給される電力によってプロジェクタ１００を稼働させることができるため、プロジェクタ１００を長時間連続して使用することができる。また、バッテリー駆動式のプロジェクタに見られる充電作業の煩わしさもない。
【００５６】
したがって、実施形態に係るプロジェクションシステム１は、電源ケーブルの抜き差しに伴う煩わしさや電源ケーブルの存在に伴う煩わしさ及び不具合を解消することができるとともに、プロジェクタを長時間連続して使用することができ、もって便利なプロジェクションシステムとなる。
【００５７】
実施形態に係るプロジェクションシステム１においては、送電装置１０は、シート状であって、かつ、複数の送電コイル２０を有するワイヤレス電力伝送シートである。ワイヤレス電力伝送シートは比較的薄く、あらゆる場所に設置することができるため、比較的広い範囲でのプロジェクタの使用を実現することが可能となる。
【００５８】
実施形態に係るプロジェクションシステム１においては、プロジェクタ１００の位置を検出する位置検出手段５０と、複数の送電コイル２０のうち位置検出手段５０によって検出されたプロジェクタ１００の位置に対応する送電コイル２０に対して選択的に電力を供給するＭＥＭＳスイッチ９２とを有する送電装置１０を備えているため、プロジェクタ１００の設置された位置だけに電力を選択的に供給することが可能となる。
【００５９】
実施形態に係るプロジェクションシステム１においては、受電コイル１５２は、複数の脚部１７０における底面に配置されているため、送電コイル２０と受電コイル１５２との位置を近づけることができ、送電装置１０からプロジェクタ１００に対して確実に電力を供給することができる。
【００６０】
実施形態に係るプロジェクションシステム１においては、送電装置１０は、金属／過負荷検出回路６０によって異物となる金属の存在が検出されたときには、送電回路４０からの電力の供給を停止するように構成されているため、送電装置１０とプロジェクタ１００との間に異物となる金属が存在する場合に電力の伝送を停止することができ、安全性を高めることができる。
【００６１】
実施形態に係るプロジェクションシステム１においては、送電装置１０は、識別情報読取部８０によって読み取られた識別情報と識別情報記憶部７０が記憶する識別情報とが一致しないことを識別情報判定部９６が判定したときには、送電回路４０からの電力の供給を停止するように構成されている。これにより、送電対象として認証したプロジェクタに該当する場合にのみ電力の伝送を行い、送電対象として認証したプロジェクタに該当しない場合には電力の伝送を停止することができる。
【００６２】
実施形態に係るプロジェクションシステム１においては、プロジェクタ１００は、画像情報を受ける無線入力インタフェース１１０を有するため、電源ケーブルのみならず、画像情報を出力する装置（パソコン２００）とプロジェクタ１００とを繋ぐケーブル類の接続等の煩わしさから解消された優れたプロジェクションシステムとなる。
【００６３】
実施形態に係るプロジェクタ１００は、上述のプロジェクションシステム１に用いるプロジェクタであって、送電コイル２０に磁気結合する受電コイル１５２及び受電コイル１５２に電磁誘導された交流電力を整流する整流回路１５４を有する受電部１５０を備えるため、電源ケーブルの抜き差しに伴う煩わしさや電源ケーブルの存在に伴う煩わしさ及び不具合を解消することができるとともに、長時間連続して使用することができ、もって便利なプロジェクタとなる。
【００６４】
以上、本発明のプロジェクションシステム及びプロジェクタを上記の実施形態に基づいて説明したが、本発明は上記の実施形態に限られるものではなく、その要旨を逸脱しない範囲において種々の態様において実施することが可能であり、例えば次のような変形も可能である。
【００６５】
上記実施形態においては、１台のプロジェクタを使用する場合を例示して説明したが、本発明はこれに限定されるものではなく、例えば、複数台のプロジェクタを同時に使用して、３Ｄ映像（ホログラム映像）を形成することとしてもよい。
【００６６】
上記実施形態においては、プロジェクタが、受電部に供給された電力によって稼動するように構成されていたが、本発明はこれに限定されるものではなく、例えば、バッテリー（蓄電部）をさらに備えており、受電部に供給された電力を一旦バッテリーに蓄えて、バッテリーの駆動でプロジェクタが稼動するように構成されていてもよい。
【００６７】
上記実施形態においては、受電コイルが、４つの脚部すべてに配置されている場合を例示して説明したが、本発明はこれに限定されるものではなく、例えば４つのうち１つの脚部にのみ配置されていてもよい。また、上記実施形態においては、受電コイルが、脚部の底面に配置されている場合を例示して説明したが、本発明はこれに限定されるものではなく、例えば、プロジェクタの底面に配置されていてもよいし、プロジェクタの天面又は側面に配置されていてもよい。また、上記実施形態においては、テーブルＴ上にのみ送電装置１０が設置されている場合を例示して説明したが、本発明はこれに限定されるものではなく、例えば、床、壁、天井などのあらゆる場所に設置されていてもよい。
【００６８】
上記実施形態においては、テーブル上に載置されるいわゆる据え置き型のプロジェクタを例示して説明したが、本発明はこれに限定されるものではなく、天井から吊り下げるいわゆる天吊り型のプロジェクタにも本発明を適用することができる。なお、天吊り型のプロジェクタの場合、送電装置は天井に設置されていることが好ましい。
【００６９】
上記実施形態においては、複数の送電コイル及び受電コイルとして、絶縁された単線を同一平面内で渦巻状に巻いた平面コイルを用いたが、本発明はこれに限定されるものではない。例えば、複数本の単線を縒り合わせた縒り線を絶縁物で被覆したものを、同一平面状で渦巻状に巻いた平面コイルを用いてもよいし、複数本の単線を束ねて絶縁物で被覆したものを、同一平面状で渦巻状に巻いた平面コイルを用いてもよい。
【００７０】
上記実施形態においては、ＬＥＤ光源からなる照明装置を用いたが、本発明はこれに限定されるものではなく、例えば、メタルハライドランプ、高圧水銀ランプ、超高圧水銀ランプ等の光源ランプを備える照明装置を用いてもよいし、ＬＤ（レーザダイオード）光源を備える照明装置を用いてもよい。
【００７１】
上記実施形態においては、金属／過負荷検出回路から制御回路に向けて、異物の存在を検出した旨の信号又は受電部が過負荷状態である旨の信号を出力し、制御回路が当該信号を受け取る場合を例示して説明したが、本発明はこれに限定されるものではなく、制御回路がポーリングして金属／過負荷検出回路から当該信号を取得するものであってもよい。
【００７２】
上記実施形態においては、識別情報読取部８０から制御回路９０の識別情報判定部９６に向けて、読み取った識別情報を出力し、識別情報判定部９６が当該情報を受け取る場合を例示して説明したが、本発明はこれに限定されるものではなく、制御回路がポーリングして識別情報読取部８０から当該情報を取得するものであってもよい。
【００７３】
上記実施形態においては、プロジェクタを認証するための構成として、識別情報読取部８０によって読み取られた識別情報が、識別情報記憶部７０が記憶する識別情報と一致するか否かで判別する構成を例示して説明したが、本発明はこれに限定されるものではない。例えば、特開２００７−２０６７７６号公報に記載されているように、送電装置が少なくとも１つのホール素子を備え、受電部が、送電コイルと受電コイルとが接近する際にホール素子と接近するように配置される少なくとも１つの磁石を備え、ホール素子の出力に基づいて、プロジェクタの個別認証を行う構成であってもよい。
【図面の簡単な説明】
【００７４】
【図１】実施形態に係るプロジェクションシステム１を説明するために示す図。
【図２】実施形態に係るプロジェクションシステム１の構成を示すブロック図。
【図３】送電装置１０の分解斜視図。
【図４】プロジェクタ１００を底面側から見た斜視図。
【図５】受電コイル１５２に電流が流れる原理を説明するために示す図。
【符号の説明】
【００７５】
１…プロジェクションシステム、１０…送電装置、２０…送電コイル、２２…送電コイルシート、３０…ＡＣ／ＤＣコンバータ回路、４０…送電回路、５０…位置検出手段、５２…位置検出コイルシート、５４…薄膜トランジスタシート、６０…金属／過負荷検出回路、７０…識別情報記憶部、８０…識別情報読取部、９０…制御回路、９２…ＭＥＭＳスイッチ、９４…ＭＥＭＳスイッチシート、９６…識別情報判定部、１００…プロジェクタ、１１０…無線入力インタフェース、１２０…照明装置、１３０…電気光学変調装置、１４０…投写光学系、１５０…受電部、１５２…受電コイル、１５４…整流回路、１６０…（プロジェクタ側の）識別情報記憶部、１７０…脚部、２００…パソコン、Ａ，Ｂ…壁面、ＳＡ，ＳＢ…スクリーン、Ｔ…テーブル
【図１】
2009205050.tif 000003
【図２】
2009205050.tif 000004
【図３】
2009205050.tif 000005
【図４】
2009205050.tif 000006
【図５】
2009205050.tif 000007